(57)【要約】      （修正有）【課題】軽く嵩張らず、ディスクの検索や持運びも容易で、ホコリの侵入が無く、衝撃や落下にも強い、脱石油素材によるディスク収納保存台紙ケース・アルバム帳を提供する。【解決手段】フィルムカバー着脱再剥離性粘着剤付写真台紙の、二つ折合紙してディスク厚にした台紙１に、ディスクが入るディスク収納穴２を打抜いた。台紙１を、透明フィルムカバー７が覆い、それらの間に、タイトル記録内容等記入紙を挟み込む。【選択図】図１
0003153270.tif 000002
【実用新案登録請求の範囲】
【請求項１】
フエルアルバムやフリーアルバム等の商標で一般的に知られる、フィルムカバー着脱再剥離性粘着剤付写真台紙の、厚紙を二つ折合紙してほぼディスク厚にした台紙１に、ディスクがほぼちょうど入るディスク収納穴２を打抜いた、フィルムカバー着脱再剥離性粘着剤付ディスク台紙。
【請求項２】
収納ディスク入力面側の台紙１と透明フィルムカバー７の間に、タイトル記録内容等記入紙を挟み込んだ、請求項１記載のフィルムカバー着脱再剥離性粘着剤付ディスク台紙。
【請求項３】
請求項１記載のフィルムカバー着脱再剥離性粘着剤付ディスク台紙の、アルバムとじ芯４付タイプにおいて、アルバムとじ紙３を台紙１のほぼ全面まで延長し、台紙１の表裏を仕切った上、表裏の台紙１をそれぞれほぼディスク厚にして、両面にディスクを収納できるようにし、さらにアルバムとじ芯４も台紙１の２枚合紙厚にした、フィルムカバー着脱再剥離性粘着剤付ディスク台紙。
【請求項４】
ディスク収納穴２を所望数打抜いた大きさにした、請求項１−２−３いずれかに記載のフィルムカバー着脱再剥離性粘着剤付ディスク台紙。
【請求項５】
請求項１−２−３−４いずれかに記載の、所望数のフィルムカバー着脱再剥離性粘着剤付ディスク台紙を、一般的に知られる、台紙とじ込式アルバム表紙やファイル表紙の付属とじ具に、前記本考案台紙のアルバムとじ穴５部を差し込んでとじ込み、アルバム帳にしたフィルムカバー着脱再剥離性粘着剤付ディスク台紙とアルバム組。
【考案の詳細な説明】
【技術分野】
【０００１】  本考案は、デジタル記録メディアである、ディスクの収納・ファイルに関するものである。
【背景技術】
【０００２】  ディスクを収納・ファイルするのに、種々のプラスチックケースや種々の不織布袋と、それらを保存するファイルケースが用いられていた。
【考案の開示】
【考案が解決しようとする課題】
【０００３】  種々のプラスチックケースは、厚みがあるため収納・ファイルスペースを多くとり、別途ファイルケースも多く必要で、そのためファイルの中から目的のディスクを検索する手間もかかる上、持運びも重くて嵩張る。また種々の不織布袋は、袋口が開いているのでホコリ等が入る上、袋に腰が無いので衝撃等に弱く、別途に密閉ファイルケースが必要であり、さらにこれらは世界的節約の石油資源製であることから、これら前述全ての欠点を解決しようとするものである。
【課題を解決するための手段】
【０００４】  本考案は、脱石油資源の再生紙を主に用いた、フエルアルバムやフリーアルバム等の商標で一般的に知られる、フィルムカバー着脱再剥離性粘着剤付写真台紙が、ディスク厚とほぼ同じにできるのに着目したもので、その二つ折合紙による台紙１をほぼディスク厚にした上、ディスクがほぼちょうど入るディスク収納穴２を打抜き、ディスクの収納・保存台紙ケースとしたものでる。【０００５】  また前述は、収納ディスク入力面側の台紙１と透明フィルムカバー７の間に、タイトル記録内容等記入紙を挟み込んでもよく、またアルバムとじ芯４付タイプのものでは、アルバムとじ紙３を台紙１のほぼ全面まで延長して、台紙１の表裏を仕切った上、表裏の台紙１をそれぞれほぼディスク厚にして、両面にディスクを収納できるようにし、アルバムとじ芯４を台紙１の２枚合紙厚にしてもよく、さらに前述全ての本考案台紙は、ディスク収納穴２を所望数打抜いた大きさにしてもよい。【０００６】  さらに上記全ての本考案台紙の所望数を、一般的に知られる、台紙とじ込式アルバム表紙やファイル表紙の付属とじ具に、本考案台紙のアルバムとじ穴５部を差し込んでとじ込み、アルバム帳にするものであり、以上のようにして問題を解決している。
【考案の効果】
【０００７】  本考案は、ディスクとほぼ同厚の台紙１内にディスクが収納されるので、多数枚をアルバム帳にとじ込んでファイルしても、ほぼディスク重ね厚と同厚なので嵩張らず、しかも紙製なので軽く、また目的のディスクを探し出すのも、アルバム帳をめくるだけで検索できる上、ディスク入力面側に挟み込んだタイトル記録内容等記入紙によって、入力内容の詳細も分かる。そして、ディスクの取出しは、透明フィルムカバー７を台紙１から軽くめくり剥がすだけででき、また収納は透明フィルムカバー７を台紙１に押し付けて粘着するだけで、しかも何回でも容易に着脱してディスクの出入れができる。さらにディスクは、台紙１内のディスク収納穴２にピッタリ収納されて、透明フィルムカバー７で覆われた上、透明フィルムカバー７が、ディスク周囲の台紙１に粘着して密封するため、ホコリ等の侵入が全く無く、その上アルバム帳へのとじ込みにより、ディスクが分厚く厚紙で覆われるため、外圧からの衝撃や落下に対して非常に強く、ディスクを安全に保護する等の効果がある。
【考案を実施するための最良の形態】
【０００８】  図１・図２は、一般的に知られる、フィルムカバー着脱再剥離性粘着剤付写真台紙のアルバムとじ芯４付タイプに、本考案を実施したもので、厚紙裏面全体に接着剤６を塗布して、二つ折合紙でほぼディスク厚にした台紙１の、天地辺部と合わせ口辺部のフィルムはがし端９以外の全面に、緻密な平行線状に再剥離性粘着剤６を塗布し、その上に台紙１全面を覆う透明フィルムカバー７を粘着させているので、粘着剤８の付いていないフィルムはがし端９で、容易に透明フィルムカバー７をめくって、台紙１から粘着している透明フィルムカバー７を剥がすことができ、また再剥離性粘着剤６なので何回でも着脱可能であり、その上透明フィルムカバー７の折曲げ端部１０は、台紙１と接着しているので外れ落ちない。そして台紙１の真中あたりに、ほぼディスクがピッタリ入る大きさの、ディスク収納穴２が打抜かれているので、ディスクを台紙１と透明フィルムカバー７の空間内に、動くことなく密封することができる。また台紙１部とアルバムやファイルのとじ部の厚を合わして、ページをめくり易くするため、アルバムとじ紙３の裏面全面に接着剤８を塗布して、台紙１とほぼ同厚にしたアルバムとじ芯４全体に巻き接着した先を、さらに合紙して延長したアルバムとじ紙３の端部を、台紙１の合紙の間に挟み込んで一体接着した上、アルバムとじ芯４部にアルバムとじ穴５を開けて、アルバム帳やファイルにとじ込むようにしたものである。
【実施例】
【０００９】  また図３に示すように、台紙１の厚紙自体をほぼディスク厚にした上、アルバムとじ紙３を台紙１合紙の間のほぼ全面に延長して、挟み込んで一体合紙することにより、ディスク収納窓２がアルバムとじ紙３で表裏に仕切られ、両面にディスクを収納できる上、アルバムとじ芯４も台紙１の２枚合紙にして、台紙１と厚みを合わすようにしてもよい。しかし図６に示すように、アルバムとじ芯４とアルバムとじ紙３の無い、台紙１の延長部に多穴のアルバムとじ穴５を開けたタイプの本考案台紙は、両面収納タイプにできない。【００１０】  また図４・図５に示すように、ディスクを所望数収納できるように、所望数のディスク収納穴２を打抜いた、本考案台紙の大きさにしてもよく、さらに所望によって、ディスク入力面側の台紙１と透明フィルムカバー７の間に、タイトル記録内容等記入紙を挟み込んでもよい。【００１１】  また前記それぞれの本考案台紙は、多数枚保存ファイルするため、一般的に知られる、台紙とじ込式アルバム表紙やファイル表紙を用い、その付属とじ具に、本考案台紙のアルバムとじ芯４部のアルバムとじ穴５を差し込んでとじ込み、アルバム帳やファイル帳にするものである。【００１２】  さらに前記それぞれの本考案台紙は、台紙１に再剥離性粘着剤６を塗布するに当たり、各図のように緻密な平行線状でなく、斜平行線状やドット状等の自由な形でもよく、そしてアルバムとじ紙３はフィルム素材等にしてもよく、さらに台紙１表面に、アルミ箔やフィルム等を合紙したり、それらにエンボス加工を施してもよい。【００１３】  本考案の一実施例は上述の如き構成からなるものだから、片面の透明フィルムカバー７を台紙１から剥がして、ディスクを台紙１のディスク収納穴２に入れ、再び透明フィルムカバー７を元の台紙１に粘着させて、ディスクを台紙１と透明フィルムカバー７内に固定密封できる。また所望によって、ディスク入力面側台紙１と透明フィルムカバー７の間に、タイトル記録内容等記入紙を挟み込むこともでき、そしてこれら所望数の本考案台紙を、アルバム帳やファイルにとじ込み保存するものである。
【図面の簡単な説明】
【００１４】
【図１】  本考案のフィルムカバー着脱再剥離性粘着剤付ディスク台紙の、アルバムとじ芯４付タイプの一実施例を示す正面図である。
【図２】  本考案のフィルムカバー着脱再剥離性粘着剤付ディスク台紙の、アルバムとじ芯４付タイプの一実施例を示す平面図である。
【図３】  本考案のフィルムカバー着脱再剥離性粘着剤付ディスク台紙の、両面ディスク収納タイプの一実施例を示す平面図である。
【図４】  本考案のフィルムカバー着脱再剥離性粘着剤付ディスク台紙の、２枚収納タイプの一実施例を示す正面図である。
【図５】  本考案のフィルムカバー着脱再剥離性粘着剤付ディスク台紙の、４枚収納タイプの一実施例を示す正面図である。
【図６】  本考案のフィルムカバー着脱再剥離性粘着剤付ディスク台紙の、台紙１延長部に多穴のアルバムとじ穴５を開けたタイプの、一実施例を示す正面図である。
【符号の説明】
【００１５】  １  台紙
２  ディスク収納穴
３  アルバムとじ紙
４  アルバムとじ芯
５  アルバムとじ穴
６  再剥離性粘着剤
７  透明フィルムカバー
８  接着剤
９  フィルムはがし端
１０  折曲げ端部
【図１】
0003153270.tif 000003
【図２】
0003153270.tif 000004
【図３】
0003153270.tif 000005
【図４】
0003153270.tif 000006
【図５】
0003153270.tif 000007
【図６】
0003153270.tif 000008
【手続補正書】
【提出日】平成21年4月2日(2009.4.2)
【手続補正１】
【補正対象書類名】実用新案登録請求の範囲
【補正対象項目名】請求項１
【補正方法】変更
【補正の内容】
【請求項１】
フエルアルバム（登録商標）やフリーアルバム（登録商標）等の商標で一般的に知られる、フィルムカバー着脱再剥離性粘着剤付写真台紙の、厚紙を二つ折合紙してほぼディスク厚にした台紙１に、ディスクがほぼちょうど入るディスク収納穴２を打ち抜いた、フイルムカバー着脱再剥離性粘着剤付ディスク台紙。
【手続補正２】
【補正対象書類名】実用新案登録請求の範囲
【補正対象項目名】請求項４
【補正方法】変更
【補正の内容】
【請求項４】
ディスク収納穴２を所望数打ち抜いた大きさにした、請求項１〜３いずれかに記載のフィルムカバー着脱再剥離性粘着剤付ディスク台紙。
【手続補正３】
【補正対象書類名】実用新案登録請求の範囲
【補正対象項目名】請求項５
【補正方法】変更
【補正の内容】
【請求項５】
請求項１〜４いずれかに記載の、フィルムカバー着脱再剥離性粘着剤付ディスク台紙にアルバムとじ穴５を開けて、所望数の前記フィルムカバー着脱再剥離性粘着剤付ディスク台紙を、一般的に知られる、台紙とじ込式アルバム表紙やファイル表紙の付属とじ具に、前記アルバムとじ穴５を差し込んでとじ込んだことを特徴とする、フィルムカバー着脱再剥離性粘着剤付ディスク台紙を有するアルバム帳。
【手続補正４】
【補正対象書類名】明細書
【補正対象項目名】０００４
【補正方法】変更
【補正の内容】
【０００４】  本考案は、脱石油資源の再生紙を主に用いた、フエルアルバム（登録商標）やフリーアルバム（登録商標）等の商標で一般的に知られる、フイルムカバー着脱再剥離性粘着剤付写真台紙が、ディスク厚とほぼ同じ厚にできるのに着目したもので、その二つ折合紙による台紙１をほぼディスク厚にした上、そこにディスクがほぼちょうど入るディスク収納穴２を打ち抜き、ディスクの収納・保存台紙ケースとしたものである。
【手続補正５】
【補正対象書類名】明細書
【補正対象項目名】０００９
【補正方法】変更
【補正の内容】
【０００９】  また図３に示すように、台紙１の厚紙自体をほぼディスク厚にした上、アルバムとじ紙３を台紙１合紙の間のほぼ全面にまで延長して、挟み込んで一体合紙することにより、ディスク収納窓２がアルバムとじ紙３で表裏に仕切られ、両面にディスクを収納できるようにした上、アルバムとじ芯４も台紙１の二枚合紙厚にして、台紙１と厚みを合わすようにしてもよい。
【手続補正書】
【提出日】平成21年6月3日(2009.6.3)
【手続補正１】
【補正対象書類名】実用新案登録請求の範囲
【補正対象項目名】請求項１
【補正方法】変更
【補正の内容】
【請求項１】
フエルアルバム（登録商標）やフリーアルバム等の商標で一般的に知られる、フィルムカバー着脱再剥離性粘着剤付写真台紙の、厚紙を二つ折合紙してほぼディスク厚にした台紙１に、ディスクがほぼちょうど入るデイスク収納穴２を打ち抜いた、フイルムカバー着脱再剥離性粘着剤付ディスク台紙。
【手続補正２】
【補正対象書類名】明細書
【補正対象項目名】０００４
【補正方法】変更
【補正の内容】
【０００４】  本考案は、脱石油資源の再生紙を主に用いた、フエルアルバム（登録商標）やフリーアルバム等の商標で一般的に知られる、フイルムカバー着脱再剥離性粘着剤付写真台紙が、ディスク厚とほぼ同じ厚にできるのに着目したもので、その二つ折合紙による台紙１をほぼディスク厚にした上、そこにディスクがほぼちょうど入るディスク収納穴２を打ち抜き、ディスクの収納・保存台紙ケースとしたものである。